(57)【要約】【課題】プレキャストコンクリートパネルの損傷を防止するとともに、より安価なプレキャストコンクリートパネルの取付構造および取付方法を提供するものである。【解決手段】プレキャストコンクリートパネル５を鉄骨横架材２の外方に取り付けるプレキャストコンクリートパネル５の取付構造および取付方法において、プレキャストコンクリートパネル５の内側面とスラブ３の側面との間には、一方がプレキャストコンクリートパネル５内に定着され他方は構造物のスラブ３内に定着されるジョイント鉄筋１５が介在され、プレキャストコンクリートパネル５の内側面にはパネル側ファスナー取付部７が設けられて、鉄骨横架材２にはパネル側ファスナー取付部７に対向する位置に鉄骨側ファスナー取付部６が設けられており、パネル側ファスナー取付部７と鉄骨側ファスナー取付部６とは伸縮調整可能なファスナー１０を介して接合されている。【選択図】　　　図１
2004124547.tif 000002
【特許請求の範囲】
【請求項１】
構造物の外壁を構成するプレキャストコンクリートパネルを、前記構造物を構成する鉄骨横架材の外方に、該鉄骨横架材の軸方向に並行して取り付けるプレキャストコンクリートパネルの取付構造において、
前記プレキャストコンクリートパネルの内側面と前記鉄骨横架材と係合するスラブの側面との間にはジョイント鉄筋が介在され、該ジョイント鉄筋の一方は前記プレキャストコンクリートパネル内に定着され、他方は前記構造物のスラブ内に定着され、前記プレキャストコンクリートパネルの内側面には、該プレキャストコンクリートパネルの水平方向に間隔をあけて並列されているパネル側ファスナー取付部が設けられ、前記鉄骨横架材には、該パネル側ファスナー取付部に対向する位置に鉄骨側ファスナー取付部が設けられ、前記パネル側ファスナー取付部と前記鉄骨側ファスナー取付部とは、伸縮調整可能なファスナーを介して接合されていることを特徴とするプレキャストコンクリートパネルの取付構造。
【請求項２】
請求項１記載のプレキャストコンクリートパネルの取付構造において、
前記パネル側ファスナー取付部は、前記プレキャストコンクリートパネルの内側面に上下二列に設けられるとともに、前記鉄骨側ファスナー取付部は、前記鉄骨横架材の上部および下部にそれぞれ設けられていることを特徴とするプレキャストコンクリートパネルの取付構造。
【請求項３】
請求項１または２記載のプレキャストコンクリートパネルの取付構造において、
前記スラブ内に定着されている前記ジョイント鉄筋の端部は、継手金物を介してスラブ筋に接合されていることを特徴とするプレキャストコンクリートパネルの取付構造。
【請求項４】
構造物の外壁を構成するプレキャストコンクリートパネルを、前記構造物を構成する鉄骨横架材の外方に、該鉄骨横架材の軸方向に並行して取り付けるプレキャストコンクリートパネルの取付方法において、
所定の位置にパネル受けサポートを建てて、該パネル受けサポートの上方に前記プレキャストコンクリートパネルを支持し、予め前記プレキャストコンクリートパネルの内側面に該プレキャストコンクリートパネルの水平方向に間隔をあけて設けられたパネル側ファスナー取付部に、伸縮調整可能なファスナーを介して、前記鉄骨横架材の前記パネル側ファスナー取付部に対向する位置に設けられた鉄骨側ファスナー取付部に締結することで前記プレキャストコンクリートパネルを位置決めし、前記プレキャストコンクリートパネルの内側面から突出させたジョイント鉄筋の端部を、前記鉄骨横架材と係合するスラブのスラブ筋と接合し、この状態でスラブコンクリートを打設して前記スラブを形成し、該スラブと一体的に前記プレキャストコンクリートパネルを取り付けることを特徴とするプレキャストコンクリートパネルの取付方法。
【請求項５】
請求項４記載のプレキャストコンクリートパネルの取付方法において、
前記パネル受けサポートは、該パネル受けサポートの下方に位置する下階の前記プレキャストコンクリートパネルの天端面で支持していることを特徴とするプレキャストコンクリートパネルの取付方法。
【発明の詳細な説明】
【０００１】
【発明の属する技術分野】
この発明は、構造物の外壁を構成するプレキャストコンクリートパネルを構造物に取り付けるプレキャストコンクリートパネルの取付構造および取付方法に関する。
【０００２】
【従来の技術】
近年、建物などの外壁を構築する際、構造体にプレキャストコンクリートパネルを取り付けて構築する工法が実用化されている。一般に、プレキャストコンクリートパネルを外装材として建物に取り付ける場合、建物の層間変位を考慮してプレキャストコンクリートパネルを建物に対して水平変位可能に取り付けるスウェー方式と、プレキャストコンクリートパネルを建物に対して相対回転可能に取り付けるロッキング方式とに大別される。
【０００３】
スウェー方式は、プレキャストコンクリートパネルの上下各二箇所の四隅が、ファスナーを介して建物の上階および下階の構造体にそれぞれ取り付けられる構造であり、上下何れかの取付箇所には水平移動可能ファスナーが使用され、他方には固定ファスナーが使用される取付構造である。これによって、建物の層間変位が生じた場合、その変位に対応して水平移動可能ファスナーがスライドするため、層間変位によるプレキャストコンクリートパネルの損傷を防止することができる（例えば、特許文献１参照。）。
【０００４】
ロッキング方式は、プレキャストコンクリートパネルの上下が、相対回転可能ファスナーを介して建物の上階および下階の構造体にそれぞれ取り付けられる取付構造である。これによって、建物の層間変位が生じた場合、その変位に対応して相対回転可能ファスナーが回転又は上下スライド等するため、層間変位によるプレキャストコンクリートパネルの損傷を防止することができる（例えば、特許文献２参照。）。
【０００５】
【特許文献１】
特開平９−２４２２３２号公報　（第３−４頁、第１図）
【特許文献２】
特開２００１−３１１２４０号公報　（第２−３頁、第１図）
【０００６】
【発明が解決しようとする課題】
しかしながら、上記した従来のプレキャストコンクリートパネルの取付構造によれば、プレキャストコンクリートパネルを構造体に取り付けるための水平移動可能ファスナー又は相対回転可能ファスナーは構造が複雑であり、コストが高くなる場合が多いという問題が存在する。また、プレキャストコンクリートパネルを鉄骨からなる梁に取り付ける際、荷重受けボルトを介してプレキャストコンクリートパネルの荷重を支持するためのブラケットを、鉄骨梁等に外方に張り出す方向で設ける必要がある。このブラケットの製作および取り付けには多額の費用がかかるため、プレキャストコンクリートパネルの取り付けコストが高くなるという問題が存在する。
【０００７】
本発明は、上記の問題が考慮されたものであり、プレキャストコンクリートパネルの損傷を防止するとともに、プレキャストコンクリートパネルを取り付ける際のファスナーに、より安価なファスナーを使用するプレキャストコンクリートパネルの取付構造および取付方法を提供するものである。また、プレキャストコンクリートパネルの荷重を支持するためのブラケットを不要にして、より安価なプレキャストコンクリートパネルの取付構造および取付方法を提供するものである。
【０００８】
【課題を解決するための手段】
請求項１記載の発明は、構造物の外壁を構成するプレキャストコンクリートパネルを、前記構造物を構成する鉄骨横架材の外方に、該鉄骨横架材の軸方向に並行して取り付けるプレキャストコンクリートパネルの取付構造において、前記プレキャストコンクリートパネルの内側面と前記鉄骨横架材と係合するスラブの側面との間にはジョイント鉄筋が介在され、該ジョイント鉄筋の一方は前記プレキャストコンクリートパネル内に定着され、他方は前記構造物のスラブ内に定着され、前記プレキャストコンクリートパネルの内側面には、該プレキャストコンクリートパネルの水平方向に間隔をあけて並列されているパネル側ファスナー取付部が設けられ、前記鉄骨横架材には、該パネル側ファスナー取付部に対向する位置に鉄骨側ファスナー取付部が設けられ、前記パネル側ファスナー取付部と前記鉄骨側ファスナー取付部とは、伸縮調整可能なファスナーを介して接合されていることを特徴としている。
【０００９】
このような特徴により、プレキャストコンクリートパネルは一層毎に独立して構造物に一体に固定されているため、上下のプレキャストコンクリートパネルの間には隙間があき、上下のプレキャストコンクリートパネルは干渉しない。また、プレキャストコンクリートパネルの荷重をジョイント鉄筋を介してスラブに支持しているので、鉄骨横架材にプレキャストコンクリートパネルの荷重を支持するためのブラケットおよび複雑な構造のファスナーを使用せずに安価な部材で固定される。また、プレキャストコンクリートパネルとスラブとが一体化されているため、プレキャストコンクリートパネルの曲げ剛性に寄与し、厚さの小さいプレキャストコンクリートパネルが使用される。さらに、伸縮調整可能なファスナーにより、プレキャストコンクリートパネルの出入り及び建て方精度を容易に調整することができる。
【００１０】
請求項２記載の発明は、請求項１記載のプレキャストコンクリートパネルの取付構造であって、前記パネル側ファスナー取付部は、前記プレキャストコンクリートパネルの内側面に上下二列に設けられるとともに、前記鉄骨側ファスナー取付部は、前記鉄骨横架材の上部および下部にそれぞれ設けられていることを特徴としている。
【００１１】
このような特徴により、プレキャストコンクリートパネルは安定した状態で鉄骨横架材に固定される。
【００１２】
請求項３記載の発明は、請求項１または２記載のプレキャストコンクリートパネルの取付構造であって、前記スラブ内に定着されている前記ジョイント鉄筋の端部は、継手金物を介してスラブ筋に接合されていることを特徴としている。
【００１３】
このような特徴により、ジョイント鉄筋のスラブ内に定着させる長さが短くなるとともに、プレキャストコンクリートパネルとスラブが容易に一体化される。
【００１４】
請求項４記載の発明は、構造物の外壁を構成するプレキャストコンクリートパネルを、前記構造物を構成する鉄骨横架材の外方に、該鉄骨横架材の軸方向に並行して取り付けるプレキャストコンクリートパネルの取付方法において、所定の位置にパネル受けサポートを建てて、該パネル受けサポートの上方に前記プレキャストコンクリートパネルを支持し、予め前記プレキャストコンクリートパネルの内側面に該プレキャストコンクリートパネルの水平方向に間隔をあけて設けられたパネル側ファスナー取付部に、伸縮調整可能なファスナーを介して、前記鉄骨横架材の前記パネル側ファスナー取付部に対向する位置に設けられた鉄骨側ファスナー取付部に締結することで前記プレキャストコンクリートパネルを位置決めし、前記プレキャストコンクリートパネルの内側面から突出させたジョイント鉄筋の端部を、前記鉄骨横架材と係合するスラブのスラブ筋と接合し、この状態でスラブコンクリートを打設して前記スラブを形成し、該スラブと一体的に前記プレキャストコンクリートパネルを取り付けることを特徴としている。
【００１５】
このような特徴により、プレキャストコンクリートパネルは、スラブの形成前においてパネル受けサポートにより支持され、スラブの形成後においてスラブ内およびプレキャストコンクリートパネル内に定着しているジョイント鉄筋によって支持される。また、伸縮調整可能なファスナーによってプレキャストコンクリートパネルの位置決めされるため、ファスナーの伸縮を調整することでプレキャストコンクリートパネルの出入り調整および建ち調整が行われる。
【００１６】
請求項５記載の発明は、請求項４記載のプレキャストコンクリートパネルの取付方法であって、前記パネル受けサポートは、該パネル受けサポートの下方に位置する下階の前記プレキャストコンクリートパネルの天端面で支持していることを特徴としている。
【００１７】
このような特徴により、プレキャストコンクリートパネルは、ジョイント鉄筋がスラブ内に定着してジョイント鉄筋によって支持されるまで、パネル受けサポートを介して下方のプレキャストコンクリートパネルに支持される。
【００１８】
【発明の実施の形態】
以下、本発明の実施の形態について、図面に基づいて説明する。
【００１９】
図１に示すように、構造物１は、図示せぬ柱と柱の間に水平に架けられている鉄骨梁（以下、鉄骨横架材２と記す。）と、鉄骨横架材２の上方に水平に設けられ鉄骨横架材２と係合するスラブ３と、鉄骨横架材２の外方に鉛直に設けられスラブ３と一体構造となる外壁４とを有している。
【００２０】
鉄骨横架材２は、Ｈ型鋼からなるものであり、スラブ３に直交する向きのウェブ２ａと、ウェブ２ａの下端及び上端に直角に取り付けられた下フランジ２ｂおよび上フランジ２ｃとにより形成されている。スラブ３は、鉄筋コンクリートからなるものであり、鉄骨横架材２の軸方向に直交する向きに上下千鳥に一定間隔をあけてスラブ筋３ａが配設されている。外壁４は、プレキャストコンクリートパネル５からなるスパンドレル式のものであり、外側面には外装用の仕上げが施されている。
【００２１】
図２、図３に示すように、プレキャストコンクリートパネル５には、上下二箇所に、且つ水平方向に間隔をあけてパネル側ファスナー取付部７が並列されている。パネル側ファスナー取付部７の上下の間隔は対向する鉄骨横架材２の下フランジ２ｂの上方から上フランジ２ｃの下方までの長さに相当し、水平方向は少なくともプレキャストコンクリートパネル５の両端部にそれぞれ設けるのが好ましい。パネル側ファスナー取付部７は、鉄板からなる矩形のプレートであり、一端がプレキャストコンクリートパネル５内に定着され、他端がプレキャストコンクリートパネル５の鉄骨横架材２の方向に張り出されている。プレキャストコンクリートパネル５内に定着されているパネル側ファスナー取付部７の基端部には鉄筋挿通孔７ａが、プレキャストコンクリートパネル５の鉄骨横架材２の方向に張り出されているパネル側ファスナー取付部７の先端部にはボルト孔７ｂがそれぞれ設けられている。また、プレキャストコンクリートパネル５内には、鉄筋挿通孔７ａを挿通する縦鉄筋８が鉛直に配設されており、プレキャストコンクリートパネル５内に水平に配設される横鉄筋９がパネル側ファスナー取付部７の基端部の上下それぞれに配設されている。
【００２２】
鉄骨横架材２には、プレキャストコンクリートパネル５に設けられたパネル側ファスナー取付部７に対応する位置に鉄骨側ファスナー取付部６が上下および左右にそれぞれ設けられている。鉄骨側ファスナー取付部６は、所定の長さのＣ型チャンネルからなり、鉄骨側ファスナー取付部６の一端の背面６ａが下フランジ２ｂの上面および上フランジ２ｃの上面に接して一体に固定され、他端が鉄骨横架材２の軸方向と直交する向きでプレキャストコンクリートパネル５の方向と反対方向に張り出されている。この鉄骨側ファスナー取付部６の先端部にはボルト孔６ｂが設けられている。
【００２３】
鉄骨横架材２の下フランジ２ｂの下方および上フランジ２ｃの上方、且つ鉄骨側ファスナー取付部６とパネル側ファスナー取付部７との間にはファスナー１０が介装されている。ファスナー１０は、両端部に雌ねじが設けられている円筒形のファスナー本体１０ａと、ファスナー本体１０ａに設けられた雌ねじと対を成すねじが切られているボルト材の一端部にドーナツ形の金属部材が取り付けられている丸環１０ｂと、丸環１０ｂのねじと対を成す調整ナット１０ｃとから構成され、調整ナット１０ｃに挿通された丸環１０ｂの先端がファスナー本体１０ａの両端部に取り付けられてなるものである。
【００２４】
パネル側ファスナー取付部７とファスナー１０とは、パネル側ファスナー取付部７の先端部とファスナー１０の一方の丸環１０ｂとが上下に重ねられて、パネル側ファスナー取付部７のボルト孔７ｂと丸環１０ｂとに挿通するボルト１１とワッシャー１２及びナット１３によって固定されている。
【００２５】
下フランジ２ｂに固定された鉄骨側ファスナー取付部６の先端の下方には、複数（図では３個）のパッキングが積層されており、パッキング１４の下方にワッシャー１２及びナット１３が配置されている。また、上フランジ２ｃに固定された鉄骨側ファスナー取付部６の先端の上方には、複数（図では２個）のパッキング１４が積層されており、パッキング１４の上方にワッシャー１２及びナット１２が配置されている。パッキング１４とワッシャー１２の間には、丸環１０ｂが介装されており、ボルト１１が、鉄骨側ファスナー取付部６の先端に設けられたボルト孔６ｂから、パッキング１４及び丸環１０ｂに挿通されており、ワッシャー１２及びナット１３で固定されている。
【００２６】
一方、図４に示すように、スラブ３とプレキャストコンクリートパネル５との間には、両者を繋ぎ合わせる複数のジョイント鉄筋１５がスラブ３とプレキャストコンクリートパネル５との接合面に沿って並列されている。このジョイント鉄筋１５の一端部はスラブ３内に配設され、継手金物１６を介してスラブ筋３ａに接合されている。継手金物１６は両端部に雌ネジが切られた筒形の部材であり、スラブ筋３ａの先端およびジョイント鉄筋１５の先端には継手金物１６の両端部に設けられた雌ネジに対応するネジが切られている。ジョイント鉄筋１５の他端部はプレキャストコンクリートパネル５内に配設されており、千鳥配筋されたスラブ筋３ａの上筋に接合されているジョイント鉄筋１５は、プレキャストコンクリートパネル５内で下方向に屈曲され、スラブ筋３ａの下筋に接合されているジョイント鉄筋１５は、プレキャストコンクリートパネル５内で上方向に屈曲されている。
【００２７】
次に、本発明に係るプレキャストコンクリートパネル５の取付方法について説明する。
【００２８】
図１に示すように、まず、既に構築された下階の構造体１７と一体化されたプレキャストコンクリートパネル５の天端に、所定の間隔をあけて上下に伸縮自在のパネル受けサポート１９を建てる。このとき、スラブ３をデッキプレートによって型枠する場合は、予めデッキプレートを鉄骨横架材２に架けておくことが望ましい。さらに、パネル受けサポート１９の転倒防止のため、一端をパネル受けサポート１９に固定して他端を下階のスラブ２０に固定する控えサポート２１によりパネル受けサポート１９を支える。パネル受けサポート１９を建てた後、上下に伸縮自在のパネル受けサポート１９を調節して、パネル受けサポート１９の天端の位置を所定のレベルに合わせる。
【００２９】
次に、パネル受けサポート１９の上方にプレキャストコンクリートパネル５を鉄骨横架材２の軸方向と並行に配置し、パネル受けサポート１９によってプレキャストコンクリートパネル５を支持する。プレキャストコンクリートパネル５は、製作段階において、パネル側ファスナー取付部７およびジョイント鉄筋１５が内側面の所定の位置に配設されて一体に成形されているものである。鉄骨横架材２は、予め所定の位置に鉄骨側ファスナー取付部６を溶接により固定して一体化している。
【００３０】
次に、鉄骨横架材２に固定された鉄骨側ファスナー取付部６とプレキャストコンクリートパネル５に一体に設けられたパネル側ファスナー取付部７とをファスナー１０によって締結する。図５に示すように、下フランジ２ｂの上面に固定された鉄骨側ファスナー取付部６の先端の下方に複数（図では３個）のパッキング１４を積み重ねて、最下のパッキング１４の下方にファスナー１０の端部に取り付けられている丸環１０ｂを配置する。鉄骨側ファスナー取付部６の先端には予めボルト孔６ｂがあけられており、上方からボルト孔６ｂにボルト１１を挿入する。ボルト１１はボルト孔６ｂ、パッキング１４及び丸環１０ｂを挿通して、先端部に取り付けられるワッシャー１２とナット１３とで締め付ける。
【００３１】
図６に示すように、プレキャストコンクリートパネル５と一体に固定されて内側に張り出した上下一対のパネル側ファスナー取付部７のうち、下に位置するパネル側ファスナー取付部７の先端の上方に、下フランジ２ｂに固定された鉄骨側ファスナー取付部６に締結されたファスナー１０の端部に取り付けられている丸環１０ｂを配置する。パネル側ファスナー取付部７の先端には予めボルト孔７ｂがあけられており、上方からボルト孔７ｂにボルト１１を挿入する。ボルト１１はボルト孔７ｂ、丸環１０ｂを挿通して、先端部に取り付けられるワッシャー１２とナット１３とで締め付ける。
【００３２】
次に、図５に示すように、上フランジ２ｃの上面に固定された鉄骨側ファスナー取付部６の先端の上方に複数（図では２個）のパッキング１４を積み重ねて、最上のパッキング１４の上方にファスナー１０の端部に取り付けられている丸環１０ｂを配置する。鉄骨側ファスナー取付部６の先端には予めボルト孔６ｂがあけられており、下方からボルト孔６ｂにボルト１１を挿入する。ボルト１１はボルト孔６ｂ、パッキング１４及び丸環１０ｂを挿通して、先端部に取り付けられるワッシャー１２とナット１３とで締め付ける。
【００３３】
図６に示すように、上下一対のパネル側ファスナー取付部７のうち、上に位置するパネル側ファスナー取付部７の先端の下方に、上フランジ２ｃに固定された鉄骨側ファスナー取付部６に締結されたファスナー１０の端部に取り付けられている丸環１０ｂを配置する。パネル側ファスナー取付部７の先端には予めボルト孔７ｂがあけられており、下方からボルト孔７ｂにボルト１１を挿入する。ボルト１１はボルト孔７ｂ、丸環１０ｂを挿通して、先端部に取り付けられるワッシャー１２とナット１３とで締め付ける。
【００３４】
下フランジ２ｂに固定された鉄骨側ファスナー取付部６に締結されたファスナー１０のファスナー本体１０ａを、ファスナー本体１０ａの両端に挿入されている丸環１０ｂを軸に逆ネジ式に回転させて伸縮調節をし、所定の長さのところで調整ナット１０ｃによって固定する。上フランジ２ｃに固定された鉄骨側ファスナー取付部６に締結されたファスナー１０についても同様にして伸縮調整を行う。これらの調整によって、プレキャストコンクリートパネル５の位置決めをし、プレキャストコンクリートパネル５取り付けの出入り調整および建ち調整を行う。
【００３５】
次に、プレキャストコンクリートパネル５に水平に並列され基端がプレキャストコンクリートパネル５内に定着しているジョイント鉄筋１５のスラブ側に突出した先端を、継手金物１６を介して上下千鳥に配筋されたスラブ筋３ａに接続する。スラブ筋３ａは、予め例えばデッキプレート等の図示せぬスラブ型枠を建て込んでおいて配筋されるものである。プレキャストコンクリートパネル５内の定着部分が上向きのジョイント鉄筋１５にはスラブ筋３ａの下筋を接続し、定着部分が下向きのジョイント鉄筋１５にはスラブ筋３ａの上筋を接続する。
【００３６】
次に、スラブ３のコンクリート打設を行い、上フランジ２ｃに固定された鉄骨側ファスナー取付部６と該鉄骨側ファスナー取付部６に締結されたファスナー１０とジョイント鉄筋１５とをスラブ３内に一体に固定する。スラブ３のコンクリート強度が所定の強度まで達した後に、プレキャストコンクリートパネル５を支持しているパネル受けサポート１９を解体する。こののように、スラブ３に一体に取り付けられたプレキャストコンクリートパネル５の天端に、上階のパネル受けサポート１９を建てて上階のプレキャストコンクリートパネル５を支持する。この施工サイクルの繰り返しにより、構造物１のプレキャストコンクリートパネル５を下階から順に取り付けていく。
【００３７】
以上、説明した構成により、プレキャストコンクリートパネル５は一層毎に独立して構造物１に一体に固定されているため、上下のプレキャストコンクリートパネル５は縁が切られ、上下のプレキャストコンクリートパネル５と干渉しない構造になっている。このため、地震などにより層間変位が生じた場合にプレキャストコンクリートパネル５の損傷を防止することができる。
【００３８】
また、プレキャストコンクリートパネル５の荷重は、ジョイント鉄筋１５を介してスラブ３に支持されている。このため、鉄骨横架材２にプレキャストコンクリートパネル５の荷重を支持するためのブラケットおよび複雑な構造のファスナーを使用せず、安価な部材でプレキャストコンクリートパネル５を固定し、コストダウンを図ることができる。
【００３９】
また、プレキャストコンクリートパネル５とスラブ３とは一体化されてプレキャストコンクリートパネル５の曲げ剛性に寄与している。このため、プレキャストコンクリートパネル５の厚さをより小さくなり、プレキャストコンクリートパネル５の部材費用を軽減することができる。
【００４０】
また、上下二箇所で伸縮調整可能なファスナー１０を介してプレキャストコンクリートパネル５を鉄骨横架材２に仮固定し位置決めしているため、安定した状態で仮固定されるとともに、出入り調整および建ち精度調整が容易に行うことができる。
【００４１】
さらに、スラブ内に定着されているジョイント鉄筋１５の端部は、継手金物１６を介してスラブ筋３ａに接合されている。このため、ジョイント鉄筋１５のスラブ３内に定着させる長さが短くなるとともに、プレキャストコンクリートパネル５とスラブ３が容易に一体化される。このため、鉄筋材料の総量が軽減されるコストダウンが図れるとともに、より確実にプレキャストコンクリートパネル５を固定することができる。
【００４２】
なお、本発明は上記した実施の形態に限定されるものではなく、その趣旨を逸脱しない限り適宜変更可能である。例えば、実施の形態では、鉄骨造の梁を有する構造物１について説明したが、鉄骨鉄筋コンクリート造の梁にプレキャストコンクリートパネル５を取り付ける場合でもよい。また、実施の形態では、ジョイント鉄筋１５とスラブ筋３ａとを継手金物１６を介して接続しているが、ジョイント鉄筋１５とスラブ筋３ａとをオーバーラップさせて重ね継手としてもよい。
【００４３】
【発明の効果】
本発明によれば、プレキャストコンクリートパネルは一層毎に独立して構造物に一体に固定され上下のプレキャストコンクリートパネルと縁切りされているため、層間変位によるプレキャストコンクリートパネルの損傷を防止できる。また、プレキャストコンクリートパネルの取り付けを安価なファスナーおよびジョイント鉄筋で行っているため、コストダウンが図れる。さらに、プレキャストコンクリートパネルとスラブとが一体化されてプレキャストコンクリートパネルの曲げ剛性に寄与しているため、プレキャストコンクリートパネルの厚さは小さくなり、プレキャストコンクリートパネルの部材費用が安価になりコストダウンが可能である。
【図面の簡単な説明】
【図１】本発明に係るプレキャストコンクリートパネルの取付構造および取付方法の実施の形態を説明する断面図である。
【図２】本発明に係るプレキャストコンクリートパネルの取付構造の実施の形態を説明する断面図である。
【図３】本発明に係るファスナーの取り付けを説明する断面詳細図である。
【図４】本発明に係るジョイント鉄筋の取り付けを説明する断面詳細図である。
【図５】本発明に係るファスナーの取り付けを説明する組立図である。
【図６】本発明に係るファスナーおよびジョイント鉄筋の取り付けを説明する組立図である。
【符号の説明】
１　　構造物
２　　鉄骨横架材
３　　スラブ
３ａ　スラブ筋
４　　外壁
５　　プレキャストコンクリートパネル
６　　鉄骨側ファスナー取付部
７　　パネル側ファスナー取付部
１０　ファスナー
１５　ジョイント鉄筋
１６　継手金物
１９　パネル受けサポート
【図１】
2004124547.tif 000003
【図２】
2004124547.tif 000004
【図３】
2004124547.tif 000005
【図４】
2004124547.tif 000006
【図５】
2004124547.tif 000007
【図６】
2004124547.tif 000008